(57)【要約】  ニードルのヒール部による組織又は他の物質のコアリングを防止するために、ニードルのヒール部と組織又は他の物質との接触を防止又は減少させるように構成されたニードル。また、本発明は、ヒール部を遮るか又は尖らないようにしたニードルを製造する方法も提供する。
2008529594.tif 000002
【特許請求の範囲】
【請求項１】
ヒール部及び中を通って延びる注入管腔を備えたシャフトと、該シャフトの前記注入管腔内に配置され、前記シャフトのヒール部を遮る尖っていない遠位端部を備えた緩衝器とを具備するニードル。
【請求項２】
前記尖っていない遠位端部が前記シャフトの前記注入管腔から外へ突出している請求項１に記載のニードル。
【請求項３】
前記尖っていない遠位端部が丸くなっている請求項１に記載のニードル。
【請求項４】
前記緩衝器が前記注入管腔の長さに亘る細長いロッドである請求項１に記載のニードル。
【請求項５】
前記緩衝器が前記シャフトの前記注入管腔内に挿入される栓を有し、前記尖っていない遠位端部が三日月状の断面形状を有する請求項１に記載のニードル。
【請求項６】
前記緩衝器が前記シャフトの前記ヒール部とのみ接触する球状の構造を有する請求項１に記載のニードル。
【請求項７】
前記緩衝器が前記注入管腔内に固定して配置されている請求項１に記載のニードル。
【請求項８】
前記緩衝器が前記注入管腔内にスライド可能に配置されている請求項１に記載のニードル。
【請求項９】
注入物質を標的部位に送達するためのニードルであって、長手方向の軸、中を通って延びる注入管腔、及び閉鎖先端で終端する遠位端部を備えたシャフトと、該シャフトの前記遠位端部によって形成され、前記シャフトの長手方向の軸からオフセットし、注入物質の流れを遠位方向に向けるため角度が付けられている少なくとも１つの側面ポートとを具備するニードル。
【請求項１０】
前記少なくとも１つの側面ポートを通る流れの方向が前記シャフトの長手方向の軸に対して９０度未満の角度をなすように、前記少なくとも１つの側面ポートが前記シャフトの長手方向の軸に対して角度をなしている請求項９に記載のニードル。
【請求項１１】
前記少なくとも１つの側面ポートが複数の側面ポートを有している請求項９に記載のニードル。
【請求項１２】
前記複数の側面ポートのそれぞれが前記シャフトの異なる平面に配置されている請求項１１に記載のニードル。
【請求項１３】
前記シャフトの遠位端部がスエージ加工されている請求項９に記載のニードル。
【請求項１４】
遠位表面と、入口ポートと、出口ポートと、前記入口ポート及び前記出口ポート間に延びる注入管腔とを備えたシャフトと、該シャフトの前記注入管腔内にスライド可能に配置された細長い貫通部材とを具備し、該貫通部材が、縮んだ形態及び伸張した形態を有すると共に閉鎖遠位先端及び近位表面を備えた頭部を有し、縮んだ形態において、前記頭部の近位表面が前記出口ポートを閉じるために前記シャフトの遠位表面と当接し、伸張した形態において、前記頭部が前記出口ポートを開くために前記遠位表面から離れて遠位方向に延びるニードル。
【請求項１５】
前記閉鎖遠位先端の前記近位表面が、前記貫通部材の縮んだ形態において前記シャフトの出口ポートによって受容されるスエージ加工された端部を形成する請求項１４に記載のニードル。
【請求項１６】
長手方向の軸と遠位端部とを備えカニューレを挿入されたシャフトを具備し、前記遠位端部が付随部と先導部とを有し、該先導部が尖った先端で終端すると共に前記付随部に対して角度をなしているニードル。
【請求項１７】
長手方向の軸と遠位端部とを備えたワークを準備することと、該ワークの前記遠位端部に付随部及び先導部を作成するために前記ワークの遠位端部を機械加工することと、前記ワークの付随部に対して前記ワークの先導部を押圧することと、請求項１６に記載のニードルを形成するために前記ワークの付随部の端部を尖らせることとを含む請求項１６に記載のニードルを製造する方法。
【請求項１８】
前記機械加工をすることが、前記ワークの遠位端部に付随部及び先導部を作成するために前記ワークの遠位端部を研削することを含む請求項１７に記載の方法。
【請求項１９】
遠位端部と注入管腔を形成する管状の内壁とを有するシャフトを具備し、前記遠位端部が尖っていないヒール部を有するニードル。
【請求項２０】
長手方向の軸とヒール部を備えた遠位端部とを有する予備成形されたニードルを準備することと、請求項１９に記載のニードルの尖っていないヒール部を形成するために前記予備成形されたニードルの前記遠位端部を機械加工することとを含む請求項１９に記載のニードルを製造する方法。
【請求項２１】
前記機械加工をすることが、前記予備成形されたニードルの長手方向の軸に対して角度をなした状態で前記予備成形されたニードルの遠位端部に対してミルを配置することと、請求項１９に記載のニードルの尖っていないヒール部を形成するために前記予備成形されたニードルの前記遠位端部の部分を除去するために前記ミルを回転させることを含む請求項２０に記載の方法。
【請求項２２】
予備成形されたニードルであって、長手方向の軸と、ヒール部を備えた遠位端部と、該予備成形されたニードルを貫通する注入管腔を形成する管状の内壁とを有する予備成形されたニードルを準備することと、該予備成形されたニードルの長手方向の軸に対して略接線方向の位置に前記予備成形されたニードルの遠位端部に対してピックを配置することと、請求項１９に記載のニードルの尖っていないヒール部を形成するために前記予備成形されたニードルの管状の内壁に対して注入管腔内に前記ヒール部を内側に折り曲げるために前記予備成形されたニードルの遠位端部に対して前記ピックを転がすこととを含む請求項１９に記載のニードルを製造する方法。
【発明の詳細な説明】
【技術分野】
【０００１】
本発明は、ニードルが挿入された場所の損傷を最小にするか又は損傷を防止するニードルに関する。
【背景技術】
【０００２】
ニードルは医療分野において幅広い多様な用途を有する。例えば、ニードルは、治療薬を送達すること、体液を収集すること、及び薬物送達ポートを満たすことに用いられる。このような多くの用途において、ニードルが挿入された場所の損傷を避けるか又は減少させることが必要とされている。例えば、血管内薬物アクセス器具のような薬物送達ポートは、治療薬を保持するチャンバーと、チャンバーを満たすか又は空にするかのいずれか一方ためにニードルを受容する貫通可能なゴムの隔壁とを有する。ニードルを用いて隔壁を繰り返し貫通することによって隔壁に損傷を与え、患者の脈管系又はカテーテル又はポートにアクセス可能な他の器具内に隔壁の破片を投入してしまう。
【０００３】
体内の標的部位に治療薬を送達すること、特に標的部位に治療薬を直接的に送達することに関して、現在の注射針はランセット先端チップを備えた斜めの開口端部を有する。このような開口端部のニードルは、組織を貫通する際に組織の芯を取る可能性を有している。心臓の心筋壁に治療薬を直接送達する場合において、多くの心筋壁の注射手順が左心室壁内に治療薬を注射するので、左心室腔内の組織塞栓症のリスクが存在する。
【発明の開示】
【発明が解決しようとする課題】
【０００４】
「ペンシル先端」ニードル及び「フーバー」ニードルのようなニードル先端は、ニードルによるコアリングを減少させるように開発された。フーバーニードルは、横の屈曲部及び横方に面した開口を備えた遠位部を有している。ニードルは、尖った閉鎖先端で終端している。ペンシル先端ニードルは側面の開口と遠位端に閉鎖先端とを有する。これらのタイプのニードルは遠位部に開口がないため、これらニードルの管腔を通る治療薬がこれら横方に面した開口から排出され、それによって治療薬を径方向に向くようにしている。このような径方向の送達は、治療薬を標的部位に入った場所から引き戻し又は絞り戻してしまう。この問題は、治療薬が心臓の心筋のように活発に収縮する組織内に注射された場合に悪化する。このような場合に、治療薬は心筋の繰り返される膨脹と収縮とによって入った場所から引き戻され又は絞り戻されてしまう。この故意でない又は不要のリークによって、標的部位によって最終的に受容される治療薬の投与を確認不能なものとし、リークした治療薬と隣接する組織及び筋肉との間の不定で不要の相互作用を生じさせる結果となる。
【０００５】
従って、ニードルが挿入された場所の損傷を防止又は最小限にし、治療薬又は任意の注入物質の送達をニードルから遠位方向外側へ向けるというニーズが存在する。
【課題を解決するための手段】
【０００６】
ある実施形態において、本発明は、ヒール部及び中を通って延びる注入管腔を備えたシャフトと、シャフトの注入管腔内に配置された緩衝器とを有するニードルを提供する。
【０００７】
ある実施形態において、本発明は、長手方向の軸と、中を通って延びる注入管腔と、閉鎖先端で終端する遠位端部とを備えたシャフトを有し、標的部位に注入物質を送達するためのニードルを提供する。シャフトの遠位端部は、シャフトの長手方向の軸からオフセットした少なくとも１つの側面ポートを形成する。少なくとも１つの側面ポートは、注入物質の流れを遠位方向に向けるため角度がつけられている。
【０００８】
ある実施形態において、本発明は、遠位表面と、入口ポートと、出口ポートと、入口ポート及び出口ポート間に延びる注入管腔とを備えたシャフトを有するニードルを提供する。ニードルは、シャフトの注入管腔内にスライド可能に配置された細長い貫通部材をさらに有している。貫通部材は、ステムと、閉鎖遠位先端及び近位表面を備えた頭部とを有する。貫通部材は、縮んだ形態及び伸張した形態を有することができる。縮んだ形態において、頭部の近位表面は、出口ポートを閉じるためにシャフトの遠位表面と当接し、伸張した形態において、頭部は、出口ポートを開くために遠位表面から離れて遠位方向に延びる。
【０００９】
ある実施形態において、本発明は、長手方向の軸と遠位端部とを備えカニューレを挿入されたシャフトを有するニードルを提供する。遠位端部は、付随部と尖った先端で終端する先導部とを有する。本発明のこれら実施形態による先導部は、付随部に対して角度をなしている。
【００１０】
ある実施形態において、本発明は、遠位端部と、注入管腔を相互に形成する対向した第１の内壁及び第２の内壁とを備えたシャフトを有するニードルを提供する。本発明のこれら実施形態による遠位端部は、尖っていないヒール部を有する。
【発明を実施するための最良の形態】
【００１１】
本発明は、単なる例示として以下の詳細の説明及び添付図面からより十分に理解されるだろう。
【００１２】
図１を参照すると、本発明の１つの実施形態が、入口ポート４０を形成する近位端部３０と、出口ポート６０を形成し（シャフト２０の先端面取り部と称される）遠位端部５０とを備えたシャフト２０を有し、標的部位に治療薬を送達するニードル１０を提供する。先端面取り部５０は先導部５０ａと付随部表面５０ｂ’を備えた付随部５０ｂとを有する。図１のニードル１０の断面図である図２を参照すると、シャフト２０は、入口ポート４０及び出口ポート６０間に延びる注入管腔７０を形成する管状の内壁９６も有している。シャフト２０の先端面取り部５０は、付随部表面５０ｂ’及び内壁９６が接する先端面取り部５０の縁であるヒール部８０を有する。本発明によると、ヒール部８０を遮る尖っていない遠位端部９５を備えた緩衝器９０が、シャフト２０の注入管腔７０内に配置されている。尖っていない遠位端部９５がヒール部８０を遮っているため、ニードル１０が標的部位内に貫通すると、標的部位がヒール部８０の代わりに緩衝器９０の尖っていない遠位端部９５に触れるので、標的部位がヒール部８０と接触することを減少させ又は防止する。尖っていない遠位端部９５がヒール部８０を遮るが、出口ポート６０を完全には塞いでおらず、その結果、ニードル１０を通る注入物質を出口ポート６０から遠位方向に放出可能となる。
【００１３】
緩衝器９０の尖っていない遠位端部９５は、ヒール部８０によって標的部位のコアリングを効果的に防止し又は減少させる任意の構成であってもよい。例えば、尖っていない遠位端部９５が、図３に示されるように完全に丸くなっていてもよく、又は図４，７，８に示されるように部分的にのみ丸くてもよい。尖っていない遠位端部９５が図２，３に示されるように注入管腔７０をわずかに超えて延びていることが好ましいが、尖っていない遠位端部９５が図４に示されるように付随部５０ｂの表面５０ｂ’と整列して注入管腔７０内に完全に配置されてもよい。さらに、全体として、緩衝器９０は、遠位端部９５がヒール部８０による標的部位のコアリングを効果的に防止し又は減少させるように、鈍いままである限り、任意の構成であってもよい。例えば、図３を参照すると、１つの実施形態において、緩衝器９０は、入口ポート４０及び出口ポート６０間の注入管腔７０の全体の長さに亘るような細長い構造である。図２を参照すると、別の実施形態において、緩衝器９０は、ヒール部８０のみを覆うような球のペレット状の構成である。もちろん、緩衝器９０は、それらの中間の大きさであってもよい。例えば、図４を参照すると、別の実施形態において、緩衝器９０は、注入管腔７０の全体の長さに亘っていないが、先端面取り部５０のヒール部に単に接している部分よりも長い。図５を参照すると、別の実施形態において、緩衝器９０は、注入管腔７０内に挿入可能で、緩衝器９０がヒール部８０及び先端面取り部５０の隣接する領域を覆うような（図６に示される）三日月状の断面形状を有する網状のもの又は栓である。
【００１４】
緩衝器９０は、シャフト２０の内壁９６に固定して取り付けられるか又はスライド可能に係合している。後者の実施形態に関して、図７，８を参照すると、緩衝器９０は、注入管腔７０内に緩衝器９０の軸線方向の運動を提供するように、注入管腔７０内にスライド可能に配置されてもよい。例えば、図７を参照すると、標的部位の表面を最初に貫通するために、ヒール部８０が初期の挿入プロセス中に遮られないように、緩衝器９０が注入管腔７０内で縮めることが可能となっている。図８を参照すると、一旦、標的部位の表面が破られると、ヒール部８０が残りの貫通プロセス中に覆われるように、緩衝器９０がヒール部８０と当接するように軸線方向に伸張する。
【００１５】
緩衝器９０は、ポリマー材料、織布又は（ステンレス鋼、ニチノール、又は他の形状記憶材料を含む）金属材料のような生体適合性のある材料から製造される。組織をより保護するために、緩衝器９０は、緩衝器９０と接触する標的部位に緩衝効果を与える弾性材料から製造されてもよい。緩衝器９０は、ヒール部８０に対して注入管腔７０内に別々に鋳造してもよく、ニードル１０の製造中にシャフト２０内に押出成形をしてもよく又はシャフト２０と共に押出成形をしてもよい。
【００１６】
図９を参照すると、本発明の別の実施形態は、入口ポート５３０を形成する近位端部５２０と、出口ポート５５０を形成する先端面取り部５４０とを備えたシャフト５１０を有するニードル５００を提供する。先端面取り部５４０は先導部５４０ａと付随部表面５４０ｂ’を備えた付随部５４０ｂとを有する。図９のニードル５００の断面図である図１０Ｃを参照すると、シャフト５１０は、入口ポート５３０及び出口ポート５５０間に延びる注入管腔５１７を形成する管状の内壁５１５も有している。本発明のこの実施形態によると、シャフト５１０の先端面取り部５４０は、標的部位のコアリングを減少させるか又は排除するために尖っていないヒール部５６０を有する。
【００１７】
図１０Ａから図１０Ｄを参照すると、１つの実施形態において、（図１０Ｃに示されるように）尖っていないヒール部５６０を備えた本発明のニードル５００を形成するために、尖っていないヒール部５６０は、（図１０Ａに示されるように）遠位端部６２０にヒール部６１０を備えた予備成形されたニードル６００を準備し、（図１０Ｂに示されるように）ヒール部６１０の部分６１５を取り除くために遠位端部６２０を機械加工することによって形成される。予備成形されたニードル６００の遠位端部６２０は、遠位端部６２０の部分６１５を取り除くために、旋盤、ドリル、研削、放電加工、電解加工、砥粒加工、超音波加工、又は、当業者にとって公知の他の電気的、化学的、若しくは物理的機械加工のような従来公知の任意の手段によって機械加工される。図１０Ａを参照すると、１つの例示的な機械加工において、ミル６３０は、予備成形されたニードル６００の長手方向のＸ軸に対して略垂直な位置で遠位端部６２０に対して配置される。そして、ミル６３０は、尖っていないヒール部５６０を備えたニードル５００を形成するために、ヒール部５６０の部分６１５を削り取るための適度な力がヒール部６１０に加えられている間、回転している。ミル６３０は、手動で回転させてもよく、或いは、このような回転は、万力又はミル６３０を受容する他のクランプ器具を介して自動化させてもよい。
【００１８】
図１０Ｄを参照すると、別の実施形態において、尖っていないヒール部５６０は、遠位端部６２０にヒール部６１０を備えると共に注入管腔を形成する管状の内壁を備えた予備成形されたニードル６００を提供することによって形成される。特に、管状の内壁は、第１の側面６５０と、その反対側にあって注入管腔６７０を相互に形成する第２の側面６６０とを有する。この方法によると、ピック６４０が、予備成形されたニードル６００の長手方向のＸ軸に対してある角度をなして遠位端部６２０に対して配置される。尖っていないヒール部５６０を備えた本発明のニードル５００を形成するために、第１の側面６５０に対して注入管腔６７０内に遠位端部６２０の部分６１５を内側に折り曲げるための適度な力がヒール部６１０に加えられている間、ピック６４０が遠位端部６２０に対して転がさせる。当業者には明らかなように、尖っていないヒール部５６０を備えたニードル５００を形成するために予備成形されたニードル６００の注入管腔６７０内に部分６１５を内側に折り曲げるために他の器具を用いてもよい。
【００１９】
図１１を参照すると、本発明の別の実施形態は、長手方向のＸ軸を備えたシャフト２１０と、その中を通って延びる注入管腔２１５と、閉鎖先端２４０で終端する遠位端部２３０とを有し、標的部位に注入物質を送達するためのニードル２００を提供する。本発明のこの実施形態によると、遠位端部２３０は、シャフト２１０の長手方向のＸ軸からオフセットし、注入物質の流れを遠位方向に向けるため角度がつけられた少なくとも１つの側面ポート２２０を形成する。遠位端部２３０が閉鎖先端２４０で終端しているため、組織又は他の物質が進入可能な開口は存在せず、従って標的部位のコアリングの可能性を排除している。しかし、側面ポート２２０が遠位方向に注入物質の流れを向けるために角度をなしているので、ニードル２００は注入物質を先端に送達することを提供している。側面ポート２２０は、シャフト２１０の長手方向のＸ軸に対して角度をなしており、好ましくは、その角度は、側面ポート２２０を通る流れＡの方向が、長手方向のＸ軸に対して９０度未満の角度θをなすように選択される。また、好ましくは、少なくとも１つの側面ポート２２０が、より多くの流れを提供すると共にニードル２００を介してより低圧の注入圧力を生成するために複数の側面ポート２２０を有している。より好ましくは、各複数の側面ポート２２０は、各ポート２２０が、より大きなコラム強さを備えた遠位端部２３０を提供するためにシャフト２１０の異なる平面に配置されるように互い違いに配置されている。図１２を参照すると、好適な実施形態において、遠位端部２３０は、注入物質が一旦標的部位に送達されると、標的部位から注入物質がリークして逆流するのを阻止する一対の隆起部２５０を形成するようにスエージ加工されている。
【００２０】
図１３，１４を参照すると、本発明の別の実施形態は、入口ポート３３０を形成する近位端部３２０を備えたシャフト３１０と、出口ポート３５０を形成する遠位端部３４０と、入口ポート３３０及び出口ポート３５０間に延びる注入管腔４１１とを有するニードル３００を提供する。特に、遠位端部３４０は、出口ポート３５０を形成する管状の遠位表面３２５を有する。本発明のこの実施形態によると、ニードル３００は、細長いステム４１２と終端の頭部３９０とを備えた貫通部材３６０をさらに有している。頭部３９０は、近位表面３８０と尖った閉鎖遠位先端３７０とを有する。貫通部材３６０は、図１３に示すように伸張した形態と、図１４に示すように縮んだ形態とを有することができる。図１４を参照すると、縮んだ形態において、頭部３９０の近位表面３８０は、出口ポート３５０を閉じるためにシャフト３１０の遠位表面３２５と当接している。図１３を参照すると、伸張した形態において、頭部３９０は、出口ポート３５０を開くために遠位表面３２５から離れて遠位方向に延びる。図１５，１６を参照すると、頭部３９０の近位表面３８０は、貫通部材３６０の縮んだ形態において出口ポート３５０によって受容されるスエージ加工された端部４２２を形成してもよい。使用時に、ニードル３００は、貫通部材３６０が縮んだ状態にある間、標的部位内に貫通している。出口ポート３５０は貫通部材３６０が縮んだ形態において閉じているため（そして遠位先端３７０が閉じているため）、ニードル３００は、ニードル３００が挿入された標的部位の芯を取るか又は損傷を与えることはない。ニードル３００による貫通が完了した後、ニードル３００は静止し、貫通部材３６０を出口ポート３５０を開くため伸張した形態にする。出口ポート３５０は一旦開くと、注入物質が注入管腔４１１を通って標的部位まで通る。
【００２１】
図１７，１８を参照すると、別の実施形態において、本発明は、遠位端部４２０を備えカニューレを挿入されたシャフト４１０を有するニードル４００を提供する。遠位端部４２０は、付随部４４０と尖った先端４５０で終端する先導部４３０とを有する。本発明のこの実施形態によると、先導部４３０は付随部４４０に対して角度をなしている。ニードル４００が標的部位に挿入されると先導部４３０がヒール部４６０を原則的に隠すか又は阻止するので、ニードル４００のこのような構成は標的部位及びヒール部４６０間の接触を排除し、それによって、ヒール部４６０によって標的部位のコアリングが防止できる。図１９Ａから１９Ｄを参照すると、ニードル４００は、展性がある材料又は変形可能な材料から製造されたワーク４８０を準備し、図１９Ｂに示されるように付随部４４０及び先導部４３０を作成するためにワーク４８０の遠位端部４２０を機械加工することによって製造される。遠位端部４２０の部分を取り除くために、旋盤、ドリル、フライス、研削、放電加工、電解加工、砥粒加工、超音波加工、又は、当業者にとって公知の他の電気的、化学的、若しくは物理的機械加工のような当業者にとって公知の機械加工を用いることができる。好ましくは、遠位端部４２０は、付随部４４０及び先導部４３０を作成するために研削又はフライス加工される。図１９Ｃを参照すると、付随部４４０及び先導部４３０をワーク４８０に作成した後、次いで先導部４３０が付随部４４０に対して押圧される。そして、図１９Ｄを参照すると、先導部４３０の端部４７０はニードル４００を形成するために尖った先端４５０に尖らされる。端部４７０は、研削又はフライス加工のような公知の手段によって尖らせることができる。
【００２２】
また、本発明は、標的部位に注入物質を送達するための本発明の実施形態によるニードルを、注射器又はカテーテルのようなその遠位端部に取り付けた送達器具を意図している。そして、このようなニードルは、治療薬や、生理食塩水及び水のような液体や、コントラストの薬剤又は放射線イメージングの薬剤のような診断用薬といった任意のタイプの注入物質を標的部位に送達するために用いることが可能である。例えば、標的部位は、体の部位又は注入物質を受容するように構成され、薬物送達ポートのような任意のタイプの容器であってもよい。
【００２３】
本発明のニードルが挿入される体の部位は、冠状血管、食道、気管、胆管、前立腺、脳、肺、肝臓、心臓、骨格筋、腎臓、膀胱、腸、胃、膵臓、卵巣、軟骨、目、骨、及び脊柱等の体の任意の内腔又は臓器を含む。本発明によるニードルは特定の用途に限定するものでは決してないが、それらニードルは組織に対するコアリング又は他の損傷を減少させ又は防止するために特に有効である。例えば、本発明のニードルは、血管から又は血流から操作でき、心臓の心筋壁内に挿入するために有効であり、従来公知のニードルによって操作された場合、血流に組織の芯が入ってしまう。また、本発明のニードルは、脊柱に硬膜外麻酔又は脊椎麻酔のような麻酔を送達するために使用することもでき、又は、他の任意の薬物を髄腔内に送達するために使用することができる。今度も、本発明のニードルの構成のため、脊柱の患部に過度の損傷が最小限にされ又は排除される。
【００２４】
本発明によるニードルは、体の流体閉鎖部位から流体サンプルを収集するためにも用いることが可能である。このような用途において、ニードルは注射器のような送達器具の遠位端部に取り付けられ、体の流体閉鎖部位内に挿入される。バキュームが流体閉鎖部位から流体サンプルを収集するために送達器具に設けられている。流体閉鎖部位は、体の一般的な空洞、液嚢、又は流体を貯蔵し又は収容する部位である。このような流体は、例えば、血液、羊水、漿液、及び脳脊髄液を含む。従って、流体閉鎖部位の限定的でない例示は、動脈及び静脈と、羊膜嚢と、腹腔、胸腔、心嚢のような漿膜腔と、くも膜下腔とを含む。
【００２５】
本発明の任意の実施形態によるニードルは、血管内薬物アクセス器具（ＩＶＡＤ）のような薬物送達ポートにアクセスするためにも使用可能である。このような薬物送達ポートは、治療薬の送達のために用いられ、鎖骨の下方であって前面上方の胸壁のような皮下の嚢状腔内に埋め込まれる。前述してきたように、薬物送達ポートは、治療薬のためのチャンバーと、チャンバーを満たすか又は空にするかのいずれか一方のためにニードルを受容する貫通可能な隔壁とを通常有する。本発明のニードルは、これら薬物送達ポート内に治療薬を導入するために使用可能であり、本発明のニードル特有の構成のため、隔壁への損傷が、繰り返し隔壁を貫通した後でさえ最小限となる。もちろん、当業者にとって、ニードルが、薬物送達ポートから治療薬を除去するためにも使用可能であること又は例えば生理食塩水を用いて薬物送達ポートを洗い流すためにも使用可能であることはは明らかであろう。
【００２６】
本発明のニードルを用いた前述の方法は、単に実例であって、このようなニードルが任意の他の適当な他の目的又は用途にも使用可能であることを強調したい。
【００２７】
前述の記載は、本発明を単に説明するためであって、限定することを意図していない。本発明の開示された態様及び実施形態のそれぞれは、単独で考慮してもよく、又は本発明の他の態様、実施形態、及びバリエーションと組み合わせて考慮してもよい。さらに、特別に定めのない限り、本発明の方法の段階は、なんら特有の実行順序に限定されない。本発明の精神及び本質を組み込んだ開示された実施形態の改良は、当業者が考えてもよく、このような改良は本発明の範囲内である。さらに、ここで引用したすべての参考文献は、その全体が本明細書に含まれている。
【図面の簡単な説明】
【００２８】
【図１】本発明の態様によるニードルの実施形態の斜視図である。
【図２】本発明の態様によるニードルの実施形態の断面図である。
【図３】本発明の態様によるニードルの別の実施形態の断面図である。
【図４】本発明の態様によるニードルの別の実施形態の断面図である。
【図５】本発明の態様によるニードルの別の実施形態の斜視図である。
【図６】図５に描写されたニードルの端面図である。
【図７】本発明の態様による縮んだ形態の緩衝器を備えたニードルの別の実施形態の断面図である。
【図８】緩衝器を伸張した形態で描写している以外、図７と同様である。
【図９】本発明の別の態様によるニードルの実施形態の斜視図である。
【図１０Ａ】図９のニードルを製造する実施形態の段階を示す。
【図１０Ｂ】図９のニードルを製造する段階を示す。
【図１０Ｃ】図９のニードルを製造する段階を示す。
【図１０Ｄ】図９のニードルを製造する別の実施形態の段階を示す。
【図１１】本発明の別の態様の実施形態によるニードルの断面図を示す。
【図１２】本発明の別の態様の別の実施形態によるニードルの断面図を示す。
【図１３】本発明の態様による伸張した形態の貫通部材を有するニードルの斜視図である。
【図１４】貫通部材を縮んだ形態で描写している以外、図１３と同様である。
【図１５】本発明の態様による縮んだ形態の貫通部材の別の実施形態を有するニードルの断面図である。
【図１６】貫通部材を伸張した形態で描写している以外、図１５と同様である。
【図１７】本発明の別の態様によるニードルの実施形態の側面図である。
【図１８】図１７に描写されたニードルの端面図である。
【図１９Ａ】図１７に描写されたニードルを製造する各段階を示す。
【図１９Ｂ】図１７に描写されたニードルを製造する各段階を示す。
【図１９Ｃ】図１７に描写されたニードルを製造する各段階を示す。
【図１９Ｄ】図１７に描写されたニードルを製造する各段階を示す。
【図１】
2008529594.tif 000003
【図２】
2008529594.tif 000004
【図３】
2008529594.tif 000005
【図４】
2008529594.tif 000006
【図５】
2008529594.tif 000007
【図６】
2008529594.tif 000008
【図７】
2008529594.tif 000009
【図８】
2008529594.tif 000010
【図９】
2008529594.tif 000011
【図１０Ａ】
2008529594.tif 000012
【図１０Ｂ】
2008529594.tif 000013
【図１０Ｃ】
2008529594.tif 000014
【図１０Ｄ】
2008529594.tif 000015
【図１１】
2008529594.tif 000016
【図１２】
2008529594.tif 000017
【図１３】
2008529594.tif 000018
【図１４】
2008529594.tif 000019
【図１５】
2008529594.tif 000020
【図１６】
2008529594.tif 000021
【図１７】
2008529594.tif 000022
【図１８】
2008529594.tif 000023
【図１９Ａ】
2008529594.tif 000024
【図１９Ｂ】
2008529594.tif 000025
【図１９Ｃ】
2008529594.tif 000026
【図１９Ｄ】
2008529594.tif 000027
【国際調査報告】
2008529594.tif 000028
2008529594.tif 000029
2008529594.tif 000030
2008529594.tif 000031
2008529594.tif 000032